(57)【要約】      （修正有）【課題】サケマス等魚類の稚幼魚のスタミナトンネル装置に関して、取り扱いを簡便にし、流量（流速）の変動のパターンを様々に変えられる耐泳力等遊泳力測定装置を提供する。【解決手段】給水室２を挟んで測定室３の反対側に隣接させて水位差形成室４を設置し、測定円筒管差込口１０に装着した測定円筒管６の流入開口部９から水位差形成室４内底部まで、内面に凹凸の一切無い滑らかな接続円筒管７を延長固定することで水位差形成室４と測定室３を空間的に繋げ、水位差形成室４前面側に口径の異なる水位差形成排水口１２ａ〜ｆを上下左右に６カ所開け、それらに止水栓１４ａ〜ｆを備え、且つ、測定室３に馴致用次測定円筒管差込口２２を２カ所設け、さらに、測定円筒管６を水位差形成室連結仕切網装着円筒分管、サンプル収納円筒分管、サンプル出入円筒分管、流入開口部仕切網固定円筒分管の４つに分け、さらにこれら４つの分管を全て連結した測定円筒管６の外側に不透明の前後移動の可能な動作フリー安静カバー円筒管１６を備える。【選択図】図１
0003192256.tif 000002
【実用新案登録請求の範囲】
【請求項１】
用水Ｗを給水室２上部より連続的に給水することで給水用隙間開口部８より測定室３内に用水Ｗが逐次供給され、常に測定室３からＬ字型越流余剰水排水室５へ越流排水Ｗａ〜ｂされる状態において、測定室３から給水室２を貫通した接続円筒管７の外部排水口１７に取り付けた外部排水柔軟ホース１８の排水口１９を手動で上下させ、測定室３越流水位と外部排水柔軟ホース１８の排水口１９との間にできる水位差（落差）によって、測定円筒管差込口１０に装着した測定円筒管６内に形成される水位差（落差）流Ｗｅの流量（流速）を変化させる構造とした魚類スタミナトンネル装置１ｂにおいて、給水室２を挟んで測定室３の反対側に隣接させて水位目盛２３を備えた水位差形成室４を設置し、測定円筒管６の流入開口部９から水位差形成室４内底部まで、内面に凹凸の一切無い滑らかな接続円筒管７を延長固定することで水位差形成室４と測定室３を空間的に繋げ、水位差形成室４前面側に口径の異なる水位差形成排水口１２ａ〜ｆを上下左右に６カ所開け、それらに止水栓１４ａ〜ｆを備えた、ことを特徴とする水位差自動形成魚類耐泳力等遊泳力測定装置１a。
【請求項２】
用水Ｗを給水室２上部より連続的に給水することで給水用隙間開口部８より測定室３内に用水Ｗが逐次供給され、常に測定室３からＬ字型越流余剰水排水室５へ越流排水Ｗａ〜ｂされる状態において、測定室３から給水室２を貫通した接続円筒管７の外部排水口１７に取り付けた外部排水柔軟ホース１８の排水口１９を手動で上下させ、測定室３越流水位と外部排水柔軟ホース１８の排水口１９との間にできる水位差（落差）によって、測定円筒管差込口１０に装着した測定円筒管６内に形成される水位差（落差）流Ｗｅの流量（流速）を変化させる構造とした魚類スタミナトンネル装置１ｂにおいて、測定質３に馴致用次測定円筒管差込口２２を２カ所備えた、ことを特徴とする請求項１記載の水位差自動形成魚類耐泳力等遊泳力測定装置１a。
【請求項３】
用水Ｗを給水室２上部より連続的に給水することで給水用隙間開口部８より測定室３内に用水Ｗが逐次供給され、常に測定室３からＬ字型越流余剰水排水室５へ越流排水Ｗａ〜ｂされる状態において、測定室３から給水室２を貫通した接続円筒管７の外部排水口１７に取り付けた外部排水柔軟ホース１８の排水口１９を手動で上下させ、測定室３越流水位と外部排水柔軟ホース１８の排水口１９との間にできる水位差（落差）によって、測定円筒管差込口１０に装着した測定円筒管６内に形成される水位差（落差）流Ｗｅの流量（流速）を変化させる構造とした魚類スタミナトンネル装置１ｂにおいて、測定円筒管６を水位差形成室連結仕切網装着円筒分管Ａ、サンプル収納円筒分管Ｂ、サンプル出入円筒分管Ｃ、流入開口部仕切網固定円筒分管Ｄの４つに分け、さらにこれら４つの分管を全て連結した測定円筒管６の外側に不透明の前後移動の可能な動作フリー安静カバー円筒管１６を備えた、ことを特徴とする請求項１記載の水位差自動形成魚類耐泳力等遊泳力測定装置１a。
【考案の詳細な説明】
【技術分野】
【０００１】
この考案は、魚類の耐泳力等遊泳力測定装置の改善に関する。
更に詳しくは、用水Ｗを給水室２上部より連続的に給水することで、給水室２と測定室３を分けている給水測定室仕切板２０下側の給水用隙間開口部８より測定室３内に用水Ｗが逐次供給され、常に測定室３とＬ字型越流余剰水排水室５を隔てた測定越流排水室仕切板２１である測定円筒管６後側の背面板と当該円筒管開口部９右側の側面板の二面から当該排水室５へ越流排水Ｗａ〜ｂされる状態において、測定室３から給水室２を貫通した接続円筒管７の外部排水口１７に取り付けた脱着可能な外部排水柔軟ホース１８の排水口１９を手動で上下させ、測定室３越流水位と外部排水柔軟ホース１８の排水口１９との間にできる水位差（落差）によって、給水室２と測定室３を隔てる給水測定室仕切板２０の測定室３側に開けてある測定円筒管差込口１０に装着した測定円筒管６内に形成される水位差(落差)流Ｗｅの流量（流速）を変化させる構造の魚類スタミナトンネル装置１ｂの改善に関する。
【背景技術】
【０００２】
図６（Ａ）と図６（Ｂ）と図６（Ｃ）は上記のような構造の耐泳力等遊泳力測定装置の一般的なものの平面図と縦横断面図を示したものである。図において１ｂは合成樹脂製の直方体型の水槽であり、順に給水室２、測定室３、L字型越流余剰水排水室５の３室に分けられ、それぞれの室を給水室２と測定室３を分ける給水測定室仕切板２０、測定室３とＬ字型越流余剰水排水室５を分ける測定越流排水室仕切板２１（測定円筒管６後側の背面板と当該円筒管開口部９右側の側面板）でそれぞれ区分されている。給水室２と測定室３を仕切る給水測定室仕切板２０の給水室２側対面に、測定室３から給水室２を貫通し設置されている接続円筒管７の外部排水口１７が設けられ、そこに脱着可能な外部排水柔軟ホース１８が取り付けられている。図６（Ａ）の平面図と図６（Ｂ）と図６（Ｃ）の縦横断面図に示すように、用水Ｗを給水室２へ連続的に給水し、給水室２と測定室３を隔てている給水測定室仕切板２０下側の給水用隙間開口部８を通して測定室３内を用水Ｗで充満させた後、測定室３とＬ字型越流余剰水排水室５を隔てた測定越流排水室仕切板２１である測定円筒管６後側の背面板と当該円筒管開口部９右側の側面板から当該排水室５へ越流排水Ｗａ〜ｂされる状態で、接続円筒管外部排水口１７に取り付けられた外部排水柔軟ホース１８の排水口１９を手動で測定室３越流水位より下げることで、給水測定室仕切板２０の測定室３側に開けられた測定円筒管差込口１０に装着された測定円筒管６の流入開口部９から外部排水柔軟ホース排水口１９に向かって用水Ｗが流れ込み、水位差（落差）流Ｗｅが形成される。
【０００３】
測定円筒管６内に形成される上記水位差（落差）流を利用して、当該円筒管６内にセットした魚が遊泳をあきらめるまでの水位差（落差）を調べ、その時点での単位時間当たりの流量を測定することで、魚の耐泳力等遊泳力の測定、特に突進力等瞬発遊泳力の測定が行われる。
【考案の概要】
【考案が解決しようとする課題】
【０００４】
しかしながら、以上の技術によれば、水位差（落差）流Ｗｅを形成させるための外部排水柔軟ホース１８の排水口１９の上下動は手動で行うため、測定円筒管６内に形成される水位差（落差）流Ｗｅの流量（流速）の変動パターンは一定しない。そのため、実際の測定の際には、当該水位差（落差）流Ｗｅの流量変動をできるだけ一定にできるように外部排水柔軟ホース排水口１９の上下動を専門に担当する人と測定円筒管６内を遊泳する魚を観察し瞬発遊泳力の計測を専門に担当する人の二人が必要となり、一人でのデータ採りは非常に困難である。又魚の耐泳力、特に突進力等瞬発遊泳力測定時に、耐泳可能な最大流速値は、形成される水位差（落差）流Ｗｅの流量（流速）の増大変化に要する時間が魚のスタミナ等に影響し、異なってくることが確認されていることから、例え、当該上下動を熟練した人が行ったとしても、その都度一定せず、精度の点で問題が残る。さらに、測定円筒管６に収容した魚は当該円筒管６の狭い環境に馴れていないことから、収容当初、狂奔状態様行動を示すなど、直ぐに測定作業に移ることができない。そのため、魚が落ち着き、安静状態に移行するまでに相当数時間を要することから、自ずと処理できる魚の尾数は限られ、しかも、落ち着く前の無理な測定は精度を更に低下させる可能性が指摘される。
【０００５】
そこで、本考案は、一人で魚の耐泳力等遊泳力を容易に、且つ精度良く測定するために、装置等の取り扱いを簡便にし、魚を個体毎に測定するために用いる脱着可能な測定円筒管６内にセットする魚の安静度を向上させ、測定円筒管６内の流れの均一化と様々な魚種に対応できるように当該円筒管６内に形成される水位差（落差）流Ｗｅの流量（流速）の変動のパターンを様々に変えられ、且つ、一定となる構造とすることを課題とする。
【課題を解決するための手段】
【０００６】
以上の課題を解決するために、図１に本考案（水位差自動形成魚類耐泳力等遊泳力測定装置１a）の原理ブロック図を示した。
請求項１に記載の第一考案では、図１（縦断面図）と図２（横断面図）と図３（平面図）で示すように、給水室２を挟んで測定室３の反対側に隣接させて水位目盛２２を備えた水位差形成室４を設置し、給水室２と測定室３を隔てた給水測定室仕切板２０の測定室３側に開けてある測定円筒管差込口１０に装着した測定円筒管６の流入開口部９から水位差形成室４内底部まで、内面に凹凸の一切無い滑らかな接続円筒管７を延長固定することで水位差形成室４と測定室３を空間的に繋げ、水位差形成室４前面側に口径の異なる水位差形成排水口１２ａ〜ｆを上下左右に６ヶ所開け、それぞれに止水栓１４ａ〜ｆを備えた、ことを特徴とする水位差自動形成魚類耐泳力等遊泳力測定装置１aである。
又請求項２に記載の第二考案では、図２（横断面図）と図３（平面図）で示すように、給水室２と測定室３を隔てた給水測定室仕切板２０の測定室側に開けてある測定円筒管差込口１０後側上方に、水通しの小さな孔を給水室２と測定室３を隔てている給水測定室仕切板２０に開けて両室を空間的に繋いだ馴致用次測定円筒管差込口２２を２ヶ所備えた、ことを特徴とする水位差自動形成魚類耐泳力等遊泳力測定装置１aである。
又請求項３に記載の第三考案では、図４（概略模式図）と図５（詳細分割縦断面図と横断面図）で示すように、給水室２と測定室３を隔てた給水測定室仕切板２０の測定室３側に開けてある測定円筒管差込口１０に装着する測定円筒管６を、それぞれの役割に応じて、水位差形成室連結仕切網装着円筒分管Ａ、サンプル収納円筒分管Ｂ、サンプル出入円筒分管Ｃ、流入開口部仕切網固定円筒分管Ｄの４つに分け、さらにこれら４つの分管を全て連結した測定円筒管６の外側に不透明の前後移動の可能な動作フリー安静カバー円筒管１６を備えた、ことを特徴とする水位差自動形成魚類耐泳力等遊泳力測定装置１aである。
【考案の効果】
【０００７】
第一考案によれば、水位差自動形成魚類耐泳力等遊泳力測定装置１aの給水室２を挟んで測定室３の反対側に隣接させて水位目盛２３を備えた水位差形成室４を設置し、給水室２を貫通し水位差形成室４内底部まで延長固定した接続円筒管７で水位差形成室４と測定室３を空間的に繋げ、水位差形成室４の水位と測定室３の越流水位が同じ状態において、水位差形成室４前面側に開けた口径の異なる水位差形成排水口１２ａ〜ｆの止水栓１４ａ〜ｆを外すことで水位差形成室４内の貯留水Ｗｆが一気に外部へ排水Ｗｄ１〜６されると同時に水位差形成室４内の水位低下が起こり、測定室３内越流水位との間に水位差が生じる。水位差が生じた瞬間から給水室２と測定室３を隔てた給水測定室仕切板２０の測定室３側に開けてある測定円筒管差込口１０に装着した測定円筒管６の流入開口部９から当該円筒管６を通って水位差形成室４内底部まで延長固定した接続円筒管排出開口部１１へ向けて、水位差に応じた流量が流れ込み、水位差（落差）流Ｗｅが形成される。
【０００８】
水位差形成排出口１２ａ〜ｆからの排水Ｗｄ１〜６の量と測定円筒管６内に形成される水位差（落差）流Ｗｅの流量が同量となると水位差形成室４内の水位低下が止まり、その時点が遊泳力等測定に使用した水位差形成排水口１２ａ〜ｆの測定円筒管６内を流れる水位差（落差）流Ｗｅの流量（流速）の最大値を示すことになる。ただ、水位差形成室４に開けた水位差形成排水口１２ａ〜ｆの口径が大きく、当該排出口１２ａ〜ｆからの排水Ｗｄ１〜６の量が測定円筒管６に流れ込む流量を常に上回るような場合、時間の経過とともに最後には、水位差形成室４内底部に位置する測定室３と水位差形成室４を空間的に繋いでいる接続円筒管排出開口部１１まで全て空中に露出し、測定円筒管６内を流れる水位差（落差）流Ｗｅの流量（流速）は、当該水位差自動形成魚類耐泳力等遊泳力測定装置１aの最大限界値となる。このように、水位差形成室４前面側に開ける水位差形成排水口１２ａ〜ｆの口径によって、外部に排水Ｗｄ１〜６される量に同調し増加していく測定円筒管６内に形成される水位差（落差）流Ｗｅの単位時間当たりの流量は異なる。
【０００９】
しかし、水位差形成室４内の貯留水Ｗｆは、常に当該排水口１２ａ〜ｆの口径によって、それぞれ異なった一定の減水パターンを示すことから、水位差形成室４の水位低下の変動も、測定円筒管６内に形成される水位差（落差）流Ｗｅの流量（流速）の変動も、いずれも同様に、口径毎のそれぞれ異なった一定の変動パターンとなる。従って、水位差形成室４前面側に開ける水位差形成排水口１２ａ〜ｆの口径及び上下方向の位置によって、測定円筒管６内を流れる流量（流速）の変動パターン、さらには、当該測定装置１aの最大限界値を上限として、到達する最大流量（流速）値及び当該流量（流速）値到達までの時間を様々に変えることができること、又測定円筒管差込口１０に装着した測定円筒管６の流入開口部９から水位差形成室４内底部まで、内面に凹凸の一切無い滑らかな接続円筒管７を延長固定したことで、測定円筒管６内の流れを変化させる凹凸が無くなり、より均一な流れを形成できること、第二考案によれば、給水室２と測定室３を隔てた給水測定室仕切板２０の測定室３側に開けてある測定円筒管差込口１０後側上方に、魚の窒息を防ぐための小さな水通しの孔を開けた次測定用の馴致用次測定円筒管差込口２２を２ヶ所備えたことから、次測定魚を事前に測定円筒管６に馴れさせ安静にさせることができ、測定に要する時間の大幅な軽減と処理可能サンプル数の飛躍的向上が望めること、第三考案によれば、給水室２と測定室３を隔てた給水測定室仕切板２０の測定室３側に開けてある測定円筒管差込口１０に装着する測定円筒管６を水位差形成室連結仕切網装着円筒分管Ａ、サンプル収納円筒分管Ｂ、サンプル出入円筒分管Ｃ、流入開口部仕切網固定円筒分管Ｄの４つに分け、通常使用時には、水位差形成室連結仕切網装着円筒分管Ａとサンプル収納円筒分管Ｂを、サンプル出入円筒分管Ｃと流入開口部仕切網固定円筒分管Ｄをそれぞれ取り外しの効く仕切網１５ａ〜ｂを装着し連結していることから、魚体サイズに合わせた仕切網１５ａ〜ｂの交換はもちろん、仕切網１５ａ〜ｂにゴミ等が詰Ｗまった時にはこれら連結した円筒分管を分離することで容易に除去できること、又この連結してできた二つの円筒管の片方に測定対象魚を入れ、さらにこれらを連結し、測定円筒管差込口１０に装着した後、当該円筒管６の外側に不透明の前後移動の可能な動作フリー安静カバー円筒管１６を装着することで、セットした魚の隠れ場所を提供し安静度の向上に貢献できること、などが効果として挙げられる。
【図面の簡単な説明】
【００１０】
【図１】この考案の一実施形態を示す正面からの縦断面図である。
【図２】この考案の一実施形態を示す側面からの横断面図である。
【図３】この考案の一実施形態を示す平面図である。
【図４】この考案の一実施形態を示す測定円筒管の概略模式図である。
【図５】この考案の一実施形態を示す４分割可能な測定円筒管の第４の要部の詳細縦断面図と横断面図である。
【図６（Ａ）】従来型の魚類スタミナトンネル装置を示す平面図である。
【図６（Ｂ）】従来型の魚類スタミナトンネル装置を示す正面からの縦断面図である。
【図６（Ｃ）】従来型の魚類スタミナトンネル装置を示す側面からの横断面図である。
【考案を実施するための形態】
【実施例１】
【００１１】
この考案の一実施形態を、図１に示す。
水位差自動形成魚類耐泳力等遊泳力測定装置１aの本体はポリ塩化ビニル製であり、給水室２、測定室３、水位差形成室４、Ｌ字型越流余剰水排水室５の４室で構成され、同じ側の片面が、観察測定用に透明の塩ビ板となっている。給水室２と測定室３を分けている給水測定室仕切板２０の測定室３側に開けてある測定円筒管差込口１０から給水室２を貫通し接続円筒管７が伸び、水位差形成室４内底部に位置する接続円筒管排水開口部１１まで固定設置されている。水位差形成室４前面側には水位目盛２２を備え、口径の異なる水位差形成排水口１２ａ〜ｆが上下左右に６ヶ所設けられ、それぞれに止水栓１４ａ〜ｆが装着されている。魚の耐泳力等遊泳力測定の際に給水室２と測定室３を分けている給水測定室仕切板２０の測定室３側に開けてある測定円筒管差込口１０に測定円筒管６を装着し、給水室２内に用水Ｗを連続的に給水する。給水室２内の用水Ｗは、給水室２と測定室３を分けている給水測定室仕切板２０下側の給水用隙間開口部８から測定室３内へ流入し、測定室３内は用水Ｗで満たされ始め、装着した測定円筒管６の流入開口部９まで測定室３内の水位が上昇すれば、用水Ｗが当該円筒管６の流入開口部９から接続円筒管７を通って水位差形成室４内に徐々に供給されるようになり、測定室３越流水位と水位差形成室４の水位が同じになると、測定円筒管６を通した水位差形成室４への用水Ｗの供給が止まり、余剰水は、測定室３とＬ字型越流余剰水排水室５を隔てた測定越流排水室仕切板２１である測定円筒管６後側の背面板と当該円筒管開口部９右側の側面板の二面から越流水としてＬ字型越流余剰水排水室５へ均一に排水Ｗａ〜ｂされ、越流余剰水排水口１３から越流総排水Ｗｃとして外へ排水される。魚の耐泳力等遊泳力測定の際には、測定中も含め、常に余剰水が測定円筒管背面越流排水Ｗａ及び測定円筒管右側面越流排水Ｗｂとして測定室３から排水される状態を維持するだけの用水Ｗを給水室２に供給し続けながら、魚を入れた測定円筒管６を装着した後、水位差形成室４の前面に備えた水位差形成排水口１２ａ〜ｆに装着している止水栓１４ａ〜ｆを外すことで、水位差形成室４の貯留水Ｗｆが一気に排水Ｗｄ１〜６され、当該形成室４の水位が下がり、測定室３越流水位との間に水位差ができ、測定円筒管６の流入開口部９から接続円筒管７を通して用水Ｗが水位差形成室４へ逐次供給される。水位差形成室４の水位は、水位差形成排水口１２ａ〜ｆからの排水Ｗｄ１〜６の量と測定円筒管６の流入開口部９を通して水位差形成室４へ供給される水位差（落差）流Ｗｅの流量が同量となるまで低下し続ける。一方、測定円筒管６内の流量は、０から水位差形成排水口１２ａ〜ｆからの排水Ｗｄ１〜６の量と水位差形成室４へ供給される水位差（落差）流Ｗｅの流量が同量を示す最大流量値に到達するまで増大し続ける。
【００１２】
この実施形態によれば、水位差形成室４前面側に水位目盛２３を備え、口径の異なる水位差形成排水口１２ａ〜ｆを６ヶ所開け、それらに止水栓が取り付けられており、測定の際に、外す止水栓１４ａ〜ｆを変えることで、形成される水位差（落差）流Ｗｅの最大流量（流速）値、及びその値に到達するまでの時間等の調節が可能となり、様々な魚種の遊泳パターンに対応できるとともに、成長段階に応じた魚、特に遊泳力の低い成長初期の仔魚などの精度良い測定も可能となる。  
遊泳力等の数値化に当たっては、測定円筒管６内を流れる流量は水位差形成室４内の水位に依存することから、水位差形成室４に開けられた水位差形成排水口１２ａ〜ｆ毎に、水位差形成室４における水位変動と時間との関係、さらには測定円筒管６の流入開口部９から水位差形成室４へ流入する流量の時間的変化を明らかにすることで求められる。実際の測定に当たっては、一人で、水位差測定室４前面側に開けた水位差形成排水口１２ａ〜ｆの止水栓１４ａ〜ｆを外し、その瞬間から測定円筒管６内を魚が泳いでいられる耐泳時間をストップウオッチ等で計測するだけで良い。
また、測定の際には、安静状態を保った魚を用いる必要があることから、次以降の測定魚は予め測定円筒管６内に収容し、当該円筒管６を測定室３の馴致用次測定円筒管差込口２２に装着し、事前に測定円筒管の環境に馴らしておくと良い。そうすることで、測定にかける時間の短縮、さらには魚本来の持つ耐泳力等遊泳力の測定を精度良くできる可能性が指摘できる。
【実施例２】
【００１３】
図１の実施形態では、水位差形成室４前面側に水位目盛２３を備え、口径の異なる水位差形成排水口１２ａ〜ｆを６ヶ所開け、それらに止水栓１４ａ〜ｆを取り付けているが、他の実施形態では、形成させる水位差（落差）流Ｗｅの最大流量（流速）値、その値に到達するまでの時間に応じて、水位差形成排水口１２ａ〜ｆの口径・数・形等の変更、又当該排水口１２ａ〜ｆに異径ソケット等の口径の異なる排水口を様々に装着しても良い。又測定室３に備えた馴致用次測定円筒管差込口２２の位置、数は測定室の大きさに合わせて様々に変更しても良い。
【符合の説明】
【００１４】
１a水位差自動形成魚類耐泳力等遊泳力測定装置本体
１b魚類スタミナトンネル装置本体
２給水室
３測定室
４水位差形成室
５Ｌ字型越流余剰水排水室
６測定円筒管
７接続円筒管
８給水用隙間開口部
９流入開口部
１０測定円筒管差込口  
１１接続円筒管排水開口部
１２a〜ｆ水位差形成排水口
１３越流余剰水排水口
１４a〜ｆ止水栓
１５a測定円筒管内注水側仕切網
１５b測定円筒管内排水側仕切網
１６動作フリー安静カバー円筒管
１７接続円筒管外部排水口
１８外部排水柔軟ホース
１９外部排水柔軟ホース排水口
２０給水測定室仕切板
２１測定越流排水室仕切板
２２馴致用次測定円筒管差込口
２３水位目盛
Ａ水位差形成室連結仕切網装着円筒分管
Ｂサンプル収納円筒分管
Ｃサンプル出入円筒分管
Ｄ流入開口部仕切網固定円筒分管  
Ｗ用水
Ｗａ測定円筒管背面越流排水
Ｗｂ測定円筒管右側面越流排水
Ｗｃ越流総排水
Ｗｄ１〜Ｗｄ６水位差形成排水
Ｗｅ水位差（落差）流
Ｗｆ貯留水
【図１】
0003192256.tif 000003
【図２】
0003192256.tif 000004
【図３】
0003192256.tif 000005
【図４】
0003192256.tif 000006
【図５】
0003192256.tif 000007
【図６（Ａ）】
0003192256.tif 000008
【図６（Ｂ）】
0003192256.tif 000009
【図６（Ｃ）】
0003192256.tif 000010